(57)【要約】      （修正有）【課題】強固に連結したスクリューポイントとロッドを緩める作業に、熟練と高い技術を要求されず、容易で安全に緩める治具を提供する。【解決手段】固定ガイド開口部１３の形状及びこれに連続する筒状の固定ガイド１２の内形の断面形状は四角形、八角形、又は４で割り切れる角数を有する角形、又は円形でその円周がセレーション、内歯車状となされていて、上記種々の断面形状の開口部と内形の内径部の大きさはスクリューポイントの最大径より小としたものであり、筒状の固定ガイド１２の外周形状は角形又は円形でその円周がセレーション、又は外歯車状となされており、上記本体ハウジング１の筒状体の内腔形状は、上記固定ガイド１２の外周形状と同一であり、大きさは上記固定ガイド１２の外径に等しいか大となされていて嵌合可能とされていることを特徴とする、スウェーデン式サウンディング試験スクリューポイント緩め治具。【選択図】  図２
2004232212.tif 000002
【特許請求の範囲】
【請求項１】
本体ハウジング（１）と固定フランジ（２）からなる治具であって、本体ハウジング（１）は、ハウジング底部（１０）にロッドの外径より大でスクリューポイントテーパー部の最大径より小とする円形のロッド挿入穴（９）を有し上部開口部（４）の外側に一対の本体雌ねじ（６，６）を備えた筒状体であり、固定フランジ（２）は中央部に固定ガイド開口部（１３）を有する平板状のフランジプレート（１１）と、このフランジプレート（１１）から垂下した筒状の固定ガイド（１２）からなり、固定フランジ（２）には本体ハウジング（１）の本体雌ねじ（６、６）に対応してねじを通過させるねじセット穴（１５、１５）が一対設けられており、上記固定ガイド開口部（１３）の形状及びこれに連続する筒状の固定ガイド（１２）の内形の断面形状は四角形、八角形、又は４で割り切れる角数を有する角形、又は円形でその円周がセレーション、内歯車状となされていて、上記種々の断面形状の開口部と内形の内径部の大きさはスクリューポイントの最大径より小としたものであり、筒状の固定ガイド（１２）の外周形状は角形又は円形でその円周がセレーション、又は外歯車状となされており、上記本体ハウジング（１）の筒状体の上記開口部（４）下方の内腔形状は、上記固定ガイド（１２）の外周形状と同一であり、大きさは上記固定ガイド（１２）の外径に等しいか大となされていて嵌合可能とされていることを特徴とする、スウェーデン式サウンディング試験スクリューポイント緩め治具。
【請求項２】
上記固定フランジ（２）のフランジプレート（１１）と固定ガイド（１２）が分離されて二つの部品からなり、本体ハウジング（１）とあわせて３部品からなるスウェーデン式サウンディング試験スクリューポイント緩め治具。
【請求項３】
拘束部本体（２７）と拘束プレート（２８）からなる治具であって、拘束部本体（２７）の内腔天部（２９）の中央には開口した穴である拘束本体スクリューポイント受け穴（３１）を設けており、この拘束本体スクリューポイント受け穴（３１）の断面形状は四角形、八角形、又は４で割り切れる角数を有する角形であるか、又は円形でその円周がセレーション、内歯車状となされており、この拘束本体スクリューポント受け穴（３１）の内径部の大きさはスクリューポイントの最大径より小としたものであり、拘束部本体（２７）の下部にある拘束本体入り口（３０）の外側に一対の拘束本体雌ねじ（３２，３２）を備ており、一方拘束プレート（２８）は平板状のプレートベース（３４）と、このプレートベース（３４）から垂直上方へ筒状に突き出た筒状プレートガイド（４０）からなり、中央部にロッド貫通穴（３６）を有し、中央部にあるロッド貫通穴（３６）の径はロッドの外径より大でスクリューポイントテーパー部の最大径より小としており、また拘束プレート（２８）には拘束部本体（２７）の拘束本体雌ねじ（３２、３２）に対応してねじを通過させるねじ通し穴（３７、３７）が一対設けられており、さらに筒状プレートガイド（４０）の外周部断面形状は角形、又は円形でその円周がセレーション、又は外歯車状となされていて、上記の拘束部本体（２７）の拘束本体入り口（３０）の内腔形状は、上記筒状プレートガイド（４０）の外周部断面形状と同一であり、大きさは筒状プレートガイド（４０）の外径に等しいか又は大となされており嵌合可能となされていることを特徴とするスウェーデン式サウンディング試験スクリューポイント緩め治具。
【請求項４】
上記拘束プレート（２８）の筒状プレートガイド（４０）とプレートベース（３４）が分離されて二つの部品からなり、拘束部本体（２７）とあわせて３部品からなるスウェーデン式サウンディング試験スクリューポイント緩め治具。
【請求項５】
上記本体ハウジング（１）の外面部にレバー（７）が取り付けているか、又は上記プレートベース（３４）にプレートレバー（３８）が取り付けていることを特徴とする、請求項１〜４のいずれかに記載のスウェーデン式サウンディング試験スクリューポイント緩め治具。
【発明の詳細な説明】
【０００１】
【発明の属する技術分野】
本発明は、地盤調査法スウェーデン式サウンディング試験で使用されたスクリューポイントをロッドから緩める治具に関するものである。
【０００２】
【従来の技術】
地盤調査法にはスウェーデン式サウンディング試験が用いられている、スウェーデン式サウンディング試験については特許公報、特開平６−３４６４２９に掲載されているもので、スウェーデン式サウンディング試験でスクリューポイント１７の外径寸法が許容限界値を超えて減径したスクリューポイント１７においては、取り外し、新しいスクリューポイント１７に取り替えて試験をする。
【０００３】
外径寸法が限界値を超え減径したスクリューポイント１７とロッド２１には、各々へ繰り返しトルクが加わり、ロッド雌ねじ２３とスクリューポイントねじ２０が強固に締め付けられていて、ねじを緩める作業は図７に示すようにスクリューポイント１７の四角錐円錐捻れ部の外形部にパイプレンチ２５のパイプレンチ歯部２６を掛けて、一方ロッド２１のスパナ口２２にスパナ２４を掛けて、各々のねじ緩み方向である矢印方向に回転させることでロッド２１とスクリューポイント１７の連結が緩められる。
【０００４】
【発明が解決しようとする課題】
ロッド２１とスクリューポイント１７はスクリューポイント１７が調査地盤との摩擦摩耗で外径寸法が規定の限界値に減径するまで繰り返し使用されるため、スクリューポイントねじ２０とロッド雌ねじ２３のねじ連結部には締め付けトルクが繰り返し加わり強固な連結と成っている、スクリューポイント１７の外径が規定の限界値を越えたとき新しいスクリューポイントに交換するが、スクリューポイント１７の取り外しには上述したように、四角錐円錐捻れ部の外形部である、摩耗し更に丸く滑らかで、滑り易くになっている部分をパイプレンチ２５で拘束することが必要であるが、スクリューポイント１７は耐摩耗性を持たせるための焼き入れ熱処理硬化が施されており、四角錐円錐捻れ部外形部、即ちパイプレンチ２５で拘束する位置は、摩擦摩耗し更に丸く滑らかになった固い部位となり、殊のほかパイプレンチ２５での固定作業は困難としている。
【０００５】
またパイプレンチ２５はパイプレンチ歯部２６がスクリューポイント１７を拘束する際、滑り止めとして常に鋭利になったパイプレンチ歯部２６を必要とされるが、常時新しい歯部のパイプレンチ２５の使用は経済的に問題があり、又拘束に極めて不安定な形状である四角錐円錐捻れであるスクリューポイント１７の複雑形状の固定には安全面に問題がある。
【０００６】
近年スウェーデン式サウンディング試験機械は、急激なハイテクノロジー化と試験機械の著しい技術革新と共に高トルク化機械へ変革し、ロッド２１とスクリューポイント１７の連結は更に強固な締め付けとなった、即ちスクリューポイント１７とロッド２１を緩める作業の困難さも急激に増している、熟練技能者でなければスクリューポイント１７とロッド２１を緩めることが不可能で、未熟練の作業者は鉄工所に持ち込み緩めるている現状があり、持ち込み時間の経費と緩め費用の経済的損失がある、また特許公報特開平６−３４６４２９で記載されているように、調査のたびにスクリューポイント１７を地中に残し、新しいスクリューポイント１７を使用する方法もあるが、経済的出費で問題がある。
【０００７】
【課題を解決するための手段】
請求項１記載のスウェーデン式サウンディング試験スクリューポイント緩め治具（以下、本発明１という）は、本体ハウジング１と固定フランジ２からなる治具である、本体ハウジング１はハウジング底部１０にロッドの外径より大でスクリューポイントテーパー部の最大径より小とする円形のロッド挿入穴９を有し、上部開口部４の外側に一対の本体雌ねじ６，６を備えた筒状体であり、固定フランジ２は中央部に固定ガイド開口部１３を有する平板状のフランジプレート１１と、このフランジプレート１１から垂下した筒状の固定ガイド１２からなり、固定フランジ２には本体ハウジング１の本体雌ねじ６、６に対応してねじを通過させるねじセット穴１５、１５が一対設けられており、上記固定ガイド開口部１３の形状及びこれに連続する筒状の固定ガイド１２の内形の断面形状は四角形、八角形、又は４で割り切れる角数を有する角形、又は円形でその円周がセレーション、内歯車状となされていて、上記種々の断面形状の開口部と内形の内径部の大きさはスクリューポイントの最大径より小としたものであり、筒状の固定ガイド１２の外周形状は角形又は円形でその円周がセレーション、又は外歯車状となされており、上記本体ハウジング１の筒状体の内腔形状は、上記固定ガイド１２の外周形状と同一であり、大きさは上記固定ガイド１２の外径に等しいか大となされていて嵌合可能とすることを特徴とする。
【０００８】
請求項２記載のスウェーデン式サウンディング試験スクリューポイント緩め治具（以下、本発明２という）は、固定フランジ２のフランジプレート１１と固定ガイド１２が分離されて二つの部品からなり、本体ハウジング１とあわせて３部品からなることを特徴とする。
【０００９】
請求項３記載のスウェーデン式サウンディング試験スクリューポイント緩め治具（以下、本発明３という）は、拘束部本体２７と拘束プレート２８からなる治具であって、拘束部本体２７の内腔天部２９の中央には開口した穴である拘束本体スクリューポイント受け穴３１を設けており、この拘束本体スクリューポイント受け穴３１の断面形状は四角形、八角形、又は４で割り切れる角数を有する角形であるか、又は円形でその円周がセレーション、内歯車状となされており、この拘束本体スクリューポント受け穴３１の内径部の大きさはスクリューポイントの最大径より小としたものであり、拘束部本体２７の下部にある拘束本体入り口３０の外側に一対の拘束本体雌ねじ３２，３２を備ており、一方拘束プレート２８は、平板状のプレートベース３４と、このプレートベース３４から垂直上方へ筒状に突き出た筒状プレートガイド４０からなり、その中央部にロッド貫通穴（３６）を有し、中央部にあるロッド貫通穴３６の径はロッドの外径より大でスクリューポイントテーパー部の最大径より小としており、また拘束プレート２８には拘束部本体２７の拘束本体雌ねじ３２、３２に対応してねじを通過させるねじ通し穴３７、３７が一対設けられており、さらに筒状プレートガイド４０の外周部断面形状は角形、又は円形でその円周がセレーション、又は外歯車状となされていて、上記の拘束部本体２７の拘束本体入り口３０の内腔形状は、上記筒状プレートガイド４０の外周部断面形状と同一であり、大きさは筒状プレートガイド４０の外径に等しいか又は大となされており嵌合可能となされていることを特徴とする。
【００１０】
請求項４記載のスウェーデン式サウンディング試験スクリューポイント緩め治具（以下、本発明４という）は、拘束プレートの筒状プレートガイドとプレートベースが分離されて二つの部品からなり拘束部本体とあわせて３部品からなることを特徴とする。
【００１１】
請求項５記載のスウェーデン式サウンディング試験スクリューポイント緩め治具（以下、本発明５という）は、本体ハウジングの外面部にレバーが取り付けているか、又はプレートベースにプレートレバーが取り付けていることを特徴とする。
【００１２】
本発明１の固定ガイド１２の内形の断面形状は四角形、八角形、又は４で割り切れる角数を有する角形、又は円形でその円周がセレーション、内歯車状となされたもの、及び本発明３の拘束本体２７の天部２９中央開口部である拘束本体スクリューポイント受け穴３１の断面形状も四角形、八角形、又は４で割り切れる角数を有する角形、又は円形でその円周がセレーション、内歯車状としたもの、とする理由はスクリューポイントの四角錘円錐捻れであるスクリューポイント咬み合い部１９にある４面、或いは４カ所を捉えて回転拘束するためである。
【００１３】
また、本発明１の筒状の固定ガイド１２の外周形状は角形又は円形でその円周がセレーション、又は外歯車状となされており、本体ハウジング１の筒状体の内腔形状は、上記固定ガイド１２の外周形状と同一であり、大きさは上記固定ガイド１２の外径に等しいか大となされていて嵌合可能としていることと共に、本発明３の筒状プレートガイド４０の外周部断面形状は角形、又は円形でその円周がセレーション、又は外歯車状となされていて、拘束部本体２７の拘束本体入り口３０の内腔形状は、上記筒状プレートガイド４０の外周部断面形状と同一であり、大きさは筒状プレートガイド４０の外径に等しいか又は大となされており嵌合可能としている理由は、固定ガイド１２は本体ハウジング１と共回転防止、及び筒状プレートガイド４０は拘束部本体２７との共回転の防止と、各々が回転を拘束する形状としている。
【００１４】
【発明の実施の形態】
本発明１の実施の形態の１例を図１及び図２を用いて説明する。本体ハウジング１と固定フランジ２からなる治具であり、本体ハウジング１は筒状で外径対辺寸法が５０ｍｍ正方形、内径対辺寸法４１ｍｍ正方形で、外径５０ｍｍの上部対辺に一対の本体雌ねじ６，６を設けている、また筒状四角形にはハウジング底部１０を設けてハウジング底部１０の中心部にロットを通過させる内径寸法２０ｍｍのロッド挿入穴９を設けた。ハウジング底部１０より外側５０ｍｍ四角形の延長上にレバー７を取り付け、スクリューポイント１７とロッド２１を緩め時のトルク軽減用とした。一方固定フランジ２の上部中心に正方形対辺寸法２４ｍｍの固定ガイド開口部１３を設けており対辺２４ｍｍ正方形は固定ガイド１２の内径へと連続した形状及び寸法としている、またフランジプレート１１より垂下した固定ガイド１２の外周形状も正方形で対辺寸法４０ｍｍとし、上記本体ハウジング底部１１内径対辺寸法４１ｍｍに嵌合した際の、共回転を防止する目的とした  、また固定ガイド開口部１３左右に本体雌ねじ６，６のＭ１４に対応しねじセット穴１５，１５を備えた。
【００１５】
図１でスクリューポイント１７とロッド２１のそれぞれが連結された状態を緩める場合、本体ハウジング１のハウジング入り口４からスクリューポイント１７とロッド２１が連結された状体でロッド２１側から入れ、本体ハウジング１のハウジング底面１０に設けたロッド挿入穴９にロッド２１から挿入し、スクリューポイントテーパー部１８を本体ハウジング１のロッド挿入穴コーナー３にあて、スクリューポイント１７の先端方向は、本体ハウジング１の上部にある状態とする。
【００１６】
上記スクリューポイント１７の先部へ固定フランジ２にある固定ガイド開口部１３の下部より挿入すると共に、固定フランジ２に垂下する固定ガイド１２の外周部と本体ハウジング１の内形を嵌合させ押し下げると、固定ガイド開口部１３の下部にある正方形からなるスクリューポイント迎合部１４と四角錐円錐捻れのスクリューポイント咬み合い部１９が合致する、また開口部１３の切断面の四角形の寸法目安として、対辺約２４ｍｍとするがスクリューポイント１７の摩耗の程度、或いは摩耗の形状で異なるため、嵌合させる固定ガイド１２の長さと本体ハウジング１の嵌合させる長さ寸法を多く取ることが広い範囲のスクリューポイントの摩耗に対応出来るスウェーデン式サウンディング試験スクリューポイント緩め治具となる。
【００１７】
上記のようにスクリューポイント咬み合い部１９とスクリューポイント迎合部１４を合致した状体で、固定ガイド１２の四角形対辺外径寸法４０ｍｍが本体ハウジング１の四角形内径対辺寸法４１ｍｍに嵌合させる状態で、固定フランジ２に設けたねじセット穴１５の上方よりねじ１６を挿入し、本体ハウジング１にある本体ねじ入り口８より本体雌ねじ６へ締め込むと、スクリューポイント咬み合い部１９は四角形であるスクリューポイント迎合部１４へ固定する、即ちスクリューポイントは本体ハウジング１の底部にある、ロッド挿入穴コーナー３と固定フランジ２の固定ガイド開口部１３下部の四角形で対辺寸法約２４ｍｍであるスクリューポイント迎合部１４に挟まれて３点が一体化するもので、その組み付け図が断面図２と右斜視図５となる、また固定フランジ２はフランジプレート１１と固定ガイド１２に分割するとも同じ作用をなす。
【００１８】
本体ハウジング１と固定フランジ２において、スクリューポイント１７を確実に固定し一体化した状態で、ハウジング本体外面５の裏面を上にし左斜視図６の状態で、ロッド２１のスパナ口２２にスパナ２４を掛け、一方のレバー７はスクリューポイントねじ２０とロッド雌ねじ２３の緩む方向への、各々へ回転トルクを加えると、スクリューポイント１７とロッド２１が安定した状態で緩められ、また緩めトルク軽減のためには請求項５である本体ハウジング１に取り付けた、レバー７を長くすることで極めて容易にトルクも小さく緩められた。
【００１９】
本発明３の実施の形態の１例を図３及び図４を用いて説明する。拘束部本体２７と拘束プレート２８からなる治具であり、拘束部本体２７は筒状で外径対辺寸法が５０ｍｍは正方形、内腔である内径対辺寸法４１ｍｍも正方形とし外径  ５０ｍｍの下部の対辺に一対の拘束本体雌ねじ３２、３２を設けている、また内腔筒状の四角形には天部２９を設けて、天部２９の中心部には正方形の開口部で対辺寸法２４ｍｍである拘束本体スクリューポイント受け穴３１を設け正方形２４ｍｍは開口まで連続させている。一方拘束プレート２８は板状のプレートベース３４の中心部から上方垂直に正方形で外径対辺寸法４０ｍｍの筒状プレートガイド４０を設けたもので、筒状プレートガイド４０の外径正方形は、拘束本体入り口３１、即ち内腔である正方形と嵌合させた際の、共回転を防止する目的とした、またプレートガイド２８の中心部にロッド２１を貫通させる内径寸法２０ｍｍのロッド貫通穴３６を設けたものであり、さらに筒状プレートガイド４０の左右に拘束部本体２７の拘束本体雌ねじ３２，３２に対応したねじ通し穴３７、３７を設けている。またプレートベース３４の延長上に幅５０ｍｍ厚さ６ｍｍのプレートレバー３８を取り付け、スクリューポイント１７とロッド２１を緩め時のトルク軽減用とした。
【００２０】
図３でスクリューポイント１７とロッド２１のそれぞれが連結した状態を緩める場合、スクリューポイント１７とロッド２１はそれぞれが連結した状態であるロッド２１を、拘束プレート２８に設けたロッド貫通穴３６の上面より挿入し、ロッド貫通穴の上部にあるロッド貫通穴コーナー３５へスクリューポイントテーパー部１８を当てるまで挿入する。
【００２１】
一方の、拘束部本体２７の下面である、拘束本体入り口３０側の四角形対辺４１ｍｍよりスクリューポイント１７の先部から挿入し、拘束部本体内腔を経て拘束部本体スクリューポイント受け穴３１である四角形対辺２４ｍｍへと挿入し、拘束本体内腔部と筒状プレートガイド４０の四角形対辺４０ｍｍ外周部を嵌合し押し込む、拘束本体スクリューポイント受け穴３１の下部である四角形のスクリューポイント迎受部４１へ、四角錐円錐捻れ部のスクリューポイント咬み合い部１９を合致させ、この状態で拘束プレート２８に設けたねじ通し穴３７下部よりねじ１６を通し拘束部本体２７に設けた拘束本体ねじ入り口３３へ、ねじ１６を締め付ける、拘束部本体２７の天部２９に設けた四角形で対辺寸法約２４ｍｍである拘束本体スクリューポイント受け穴３１と、拘束プレート２８上部にあるロッド貫通穴コーナー３５でスクリューポイント１７を挟み込み拘束部本体２７、スクリューポイント１７拘束プレート２８は確実に一体化する、その組み付け図が断面図４である。
【００２２】
上記の組み付け状態で緩め作業をする際、本発明１で説明した右斜視図６の状態で拘束本体外面４２を上部とし、ロッド２１のスパナ口２２にスパナ２４を掛け、一方プレートレバー３８はスクリューポイントねじ２０とロッド雌ねじ２３の緩む方向へ、各々回転トルクを加えると、スクリューポイント１７とロッド２１を安定した状態で緩めることとなる、また緩めトルク軽減のため請求項５である本体ハウジング１に取り付けた、プレートレバー３８を長くすると緩めトルクが軽減する、また拘束部本体スクリューポイント受け穴３１の正方形の対辺寸法は、目安として対辺約２４ｍｍとするがスクリューポイントの摩耗の程度、或いは摩耗の形状で異なる、嵌合させる筒状プレートガイド４０の長さと拘束本体２７内腔の嵌合の長さ寸法を多く取ることにより広い範囲のスクリューポイントの摩耗に対応出来る、スウェーデン式サウンディング試験スクリューポイント緩め治具となる。
【００２３】
また拘束プレート２８はプレートベース３４と筒状プレートガイド４０のそれぞれに２分割することも同じ作用をなすものである。
【００２４】
【発明の効果】強固に連結したスクリューポイントとロッドを緩める作業は従来、熟練と高い技能のが要求されていたと共に、固定に不安定なスクリューポイントをパイプレンチにより拘束のため、安全面に問題が生じていたが本発明治具の使用によりそれぞれが解消した、また鉄工所に持ち込み緩め作業をする経済的な課題も含めて、スウェーデン式サウンディング試験スクリューポイント緩め治具を使用することで、技能面、経済面と安全面の各種問題解決した。
【図面の簡単な説明】
【図１】本発明１の実施の形態の１例を示す説明図。
【図２】本発明１の治具を組み付けた状況を示す説明図。
【図３】本発明３の実施の形態の１例を示す説明図。
【図４】本発明３の治具を組み付けた状況を示す説明図。
【図５】本発明１の治具を組み付けた状況を示す斜視図。
【図６】本発明の治具を実際使用する状況を示す説明図。
【図７】従来のスクリューポイントを緩める状況を示す図。
【符号の説明】
１      本体ハウジング
２      固定フランジ
３      ロッド挿入穴コーナー
４      ハウジング入り口
５      本体外面
６      本体雌ねじ
７      レバー
８      本体ねじ入り口
９        ロッド挿入穴
１０    ハウジング底部
１１    フランジプレート
１２    固定ガイド
１３    固定ガイド開口部
１４    スクリューポイント迎合部
１５    ねじセット穴
１６    ねじ
１７    スクリューポイント
１８    スクリューポイントテーパー部
１９    スクリューポイント咬み合い部
２０      スクリューポイントねじ
２１      ロッド
２２    スパナ口
２３    ロッド雌ねじ
２４    スパナ
２５    パイプレンチ
２６    パイプレンチ歯部
２７    拘束部本体
２８    拘束プレート
２９    天部
３０    拘束本体入り口
３１    拘束本体スクリューポイント受け穴
３２    拘束本体雌ねじ
３３    拘束本体ねじ入り口
３４    プレートベース
３５    ロッド貫通穴コーナー
３６    ロッド貫通穴
３７    ねじ通し穴
３８    プレートレバー
３９    プレートガイド側面
４０    筒状プレートガイド
４１    スクリューポイント迎受部
４２        拘束本体外面
【図１】
2004232212.tif 000003
【図２】
2004232212.tif 000004
【図３】
2004232212.tif 000005
【図４】
2004232212.tif 000006
【図５】
2004232212.tif 000007
【図６】
2004232212.tif 000008
【図７】
2004232212.tif 000009